(57)【特許請求の範囲】
【請求項１】
共通のガイドレール上に２つのシートが前後にスライド可能に配置された自動車のシートスライド装置のロック構造であって、上記ガイドレールには、前側のシートを前側シートベルト適用範囲内において固定する第１の係合部と、後側のシートを後側シートベルト適用範囲内において固定する第２の係合部と、前側のシートを上記前側シートベルト適用範囲より後方において固定する第３の係合部と、後側のシートを上記後側シートベルト適用範囲より前方でかつ上記第３の係合部よりも前方において固定する第４の係合部とが備えられており、かつ、上記第３の係合部は、上記後側のシートの係合部材とは係合しない形状とされていることを特徴とする自動車のシートスライドロック構造。
【請求項２】
共通のガイドレール上に少なくとも２つのシートが前後にスライド可能に配置された自動車のシートスライド装置のロック構造であって、第１のシートと第２のシートとにそれぞれ形状の異なる係合部材が設けられていると共に、上記ガイドレールには、上記第１のシートの係合部材とは係合し、第２のシートの係合部材とは係合しない第１の係合部と、上記第１のシートの係合部材とは係合せず、第２のシートの係合部材とは係合する第２の係合部とが設けられていることを特徴とする自動車のシートスライドロック構造。
【請求項３】
第１、第２のシートの係合部材のうち、一方の係合部材は中央の幅の広い突起とその両側の幅の狭い突起とを有し、他方の係合部材は中央の幅の狭い突起とその両側の幅の広い突起とを有すると共に、上記一方の係合部材とは係合し、他方の係合部材とは係合しないガイドレール側の係合部は、一方の係合部材における上記各突起の幅に対応させて、中央の幅の広い穴とその両側の幅の狭い穴とで構成され、かつ、上記他方の係合部材とは係合し、一方の係合部材とは係合しないガイドレール側の係合部は、他方の係合部材における上記各突起の幅に対応させて、中央の幅の狭い穴とその両側の幅の広い穴とで構成されていることを特徴とする請求項２に記載の自動車のシートスライドロック構造。
【発明の詳細な説明】
【０００１】
【産業上の利用分野】
本発明は自動車のシートスライドロック構造、特に車室後部に前後複数列にシートが設けられた自動車のシートスライドロック構造に関する。
【０００２】
【従来の技術】
近年、車室前部に運転席及び助手席を左右に配設する一方、車室後部に前後複数列にわたってシートを配設することにより、最大乗員数を多くした所謂ワンボックスカーと称される自動車が実用化されている（特開昭６３−１７３７３６号公報、実開昭６３−１７９２４７号公報、特開平２−８１７３８号公報等参照）。
【０００３】
この種の自動車においては、複数列の後部シートを前後に移動可能として、各シートを全て着座可能とすることにより上記のように最大乗員数を多くしたり、これらのシートを前席の直後方或は車室の最後部に収納して車室内に大きな積み荷用空間を形成したりすることができるようになっている。
【０００４】
その場合に、本願出願人の先願（特願平６−４５３３３号）に示すように、前後２列の後部シートを共通のガイドレール上に配置し、これらの後部シートをこのガイドレールに沿って前後に移動させるように構成することが考えられる。
【０００５】
【発明が解決しようとする課題】
ところで、上記のように前後２列の後部シートを共通のガイドレール上に配置すると共に、各後部シートを少なくとも着座可能な位置及び前後の収納位置にセット可能とする場合、上記ガイドレールの前部には、少なくとも前側の後部シートを着座位置で固定する固定部と、前側及び後側の後部シートを前方の収納位置で固定する固定部とを設け、また、該ガイドレールの後部には、少なくとも後側の後部シートを着座位置で固定する固定部と、前側及び後側の後部シートを後方の収納位置で固定する固定部とを設けなければならないことになる。
【０００６】
そして、これらの固定部には、シート側に設けられた係合部材が係合される係合部がガイドレールに設けられることになるが、その場合に、次のような不具合の発生が考えられる。
【０００７】
つまり、このような係合部材と係合部とにより上記の各固定部でシートを固定するようにした場合、例えば後側のシートの前方の収納位置で前側のシートを固定することも可能となり、この状態でそのシートに乗員が着座することも起こり得る。その場合に、前側のシートの着座位置には、そのシートに着座した乗員に装着可能なようにシートベルトが備えられるが、このシートベルトは後側のシートの前方の収納位置まではカバーできず、したがって、この後側のシートの前方の収納位置に前側のシートが固定されて乗員が着座すると、その乗員に対してはシートベルトの装着が不可能となるのである。
【０００８】
また、これとは逆に、前側のシートの後方の収納位置で後側のシートを固定することも可能となって、このシートに乗員が着座することも起こり得るが、この場合、前側のシートがその直前方に位置することになって、前側のシートに着座した乗員がシート位置調節として当該シートを後方にスライドさせた場合等に、後側のシートとの間隔が著しく狭くなって、この後側のシートに着座している乗員の足を挟み付ける等の恐れが生じるのである。なお、これらの不具合は前側と後側とが逆の場合にも同様に起こりうる。
【０００９】
そこで、本発明は、共通のガイドレール上に配置された少なくとも前後２列の後部シートがそれぞれの着座位置や収納位置等において固定される場合において、一方のシートの特定の固定位置では他方のシートの固定を阻止して、その位置での当該他方のシートへの乗員の着座を回避することにより、上記のような不具合を未然に防止することを課題とする。
【００１０】
【課題を解決するための手段】
上記課題を解決するため、本発明では次のような手段を用いる。
【００１１】
まず、本願の請求項１に係る発明（以下、第１発明という）は、共通のガイドレール上に２つのシートが前後にスライド可能に配置された自動車のシートスライド装置のロック構造において、上記ガイドレールには、前側のシートを前側シートベルト適用範囲内において固定する第１の係合部と、後側のシートを後側シートベルト適用範囲内において固定する第２の係合部と、前側のシートを上記前側シートベルト適用範囲より後方において固定する第３の係合部と、後側のシートを上記後側シートベルト適用範囲より前方でかつ上記第３の係合部よりも前方において固定する第４の係合部とが備えられており、かつ、上記第３の係合部は、上記後側のシートの係合部材とは係合しない形状とされていることを特徴とする。
【００１２】
なお、上記第１発明における第１の係合部は、実施例においては、係合部６０Ｂの前方に位置する４つの係合部６０Ｃ…６０Ｃに相当し、第２の係合部は、係合部６０Ａの後方に位置する４つの係合部Ｃのうちの最後方の係合部Ｃを除く３つの係合部６０Ｃ…６０Ｃに相当し、第３の係合部は係合部６０Ａに相当し、第４の係合部は係合部６０Ｂに相当する。
【００１３】
一方、請求項２に係る発明（以下、第２発明という）は、共通のガイドレール上に少なくとも２つのシートが前後にスライド可能に配置された自動車のシートスライド装置のロック構造において、第１のシートと第２のシートとにそれぞれ形状の異なる係合部材を設けると共に、上記ガイドレールには、上記第１のシートの係合部材とは係合し、第２のシートの係合部材とは係合しない第１の係合部と、上記第１のシートの係合部材とは係合せず、第２のシートの係合部材とは係合する第２の係合部とを設けたことを特徴とする。
【００１４】
そして、請求項３に係る発明（以下、第３発明という）は、上記第２発明において、第１，第２のシートの係合部材のうち、一方の係合部には、中央の幅の広い突起とその両側の幅の狭い突起とを設け、他方の係合部材には、中央の幅の狭い突起とその両側の幅の広い突起とを設けると共に、上記一方の係合部材とは係合し、他方の係合部材とは係合しないガイドレール側の係合部を、一方の係合部材における上記各突起の幅に対応させて、中央の幅の広い穴とその両側の幅の狭い穴とで構成し、かつ、上記他方の係合部材とは係合し、一方の係合部材とは係合しないガイドレール側の係合部を、他方のシートの係合部材における上記各突起の幅に対応させて、中央の幅の狭い穴とその両側の幅の広い穴とで構成したことを特徴とする。
【００１５】
なお、上記第２発明における第１、第２の係合部は、実施例においては、第１のシートが第２のシートの前方に位置している場合は係合部６０Ａ、６０Ｂに相当し，第２のシートが第１のシートの前方に位置している場合は係合部６０Ｂ、６０Ａに相当する。
【００１７】
【作用】
まず、第１発明によれば、第３の係合部は、前側のシートの係合部材のみが係合可能とされており、したがって、この位置で後側のシートが固定されて、前側のシートと所定間隔以下となることによる上記のような不具合が未然に回避されることになる。すなわち、前側のシートがガイドレールの前部に固定されている状態では、後側のシートをガイドレールの中央部に位置させることが可能となり、この位置で該後側のシートが固定されると、前側のシートの固定位置によっては、該前側シートと後側シートとの間隔が著しく狭くなる。そのため、特に前側のシートに着座した乗員がシート位置調節のために固定位置を後側へ移動させようとした場合等に、後側のシートに着座している乗員の足を挟み付ける恐れが生じるが、本第１発明によれば、第３の係合部は、前側のシートの係合部材のみが係合可能とされており、上記のような不具合が未然に回避されることになる。
【００２０】
一方、第２発明によれば、ガイドレールに、第１のシートの係合部材とは係合し、第２のシートの係合部材とは係合しない第１の係合部と、上記第１のシートの係合部材とは係合せず、第２のシートの係合部材とは係合する第２の係合部とが設けられるので、例えば第２のシートのシートベルトの適用範囲外における第１のシートの収納位置で第２のシートが固定されたり、第１のシートが第２のシートの前方で固定される場合に、この第１のシートと所定間隔以下に近接する位置で後側の第２のシートが固定される、といった不具合が回避されることになる。
【００２１】
そして、第３発明によれば、上記のようにガイドレールの所定位置で一方のシートを固定し、他方のシートの固定を阻止するためのシート側の係合部材及びガイドレール側の係合部をそれぞれ所定寸法の幅を有する複数の突起と穴とで構成したので、極めて簡素な構成で、上記第２発明の作用が確実に得られることになる。
【００２２】
【実施例】
以下、本発明の実施例について説明する。
【００２３】
図１に示すように、この実施例に係る自動車１は所謂ワンボックスカーであって、車室前部に前部シート２として運転席及び助手席が左右に配設されていると共に、車室後部には、ベンチ型の２つの後部シート（以下、単に「シート」と記す）１０，２０が前後に配置されている。
【００２４】
これらのシート１０，２０は、いずれも、基台１１，２１上にシートクッション１２，２２を設置すると共に、その後部に前倒可能にシートバック１３，２３を取り付けた構成とされている。そして、上記基台１１，２１の左右両端部の下面には左右一対のスライドユニット１４，１４及び２４，２４が取り付けられていると共に、これらのスライドユニット１４，１４，２４，２４が、車室フロア３に前後方向に配設された左右一対のガイドレール４，４に前後スライド可能に係合され、これにより、前側のシート１０及び後側のシート２０が車室後部で前後に移動可能とされている。
【００２５】
ここで、上記ガイドレール４，４は両シート１０，２０で共用され、１本のレール４の前後に前側のシート１０のスライドユニット１４と後側のシート２０のスライドユニット２４とが係合されている。
【００２６】
そして、後に詳しく説明するが、これらのスライドユニット１４，２４には、ガイドレール４に設けられた係合穴に係合することによりシート１０，２０を所定位置で固定するための係合部材が設けられていると共に、図１に示す両シート１０，２０の着座位置では、車室内側面に取り付けられたシートベルト５，５が装着可能とされている。
【００２７】
次に、図２〜図４により上記スライドユニット１４，２４の構成を説明する。なお、前側及び後側のシート１０，２０のスライドユニット１４，２４は同一の構成であるので、ここでは、前側のシート１０のスライドユニット１４について説明する。
【００２８】
このスライドユニット１４の本体３０は、正面と上面とを有する前後一対のベースプレート３１，３２を、所定の間隔を隔てて端部を対向させた状態で、正面視で略Ｔ字状をなす上部連結部材３３と、断面形状が上開きコ字状の下部連結部材３４とで連結した構成とされている。
【００２９】
そして、この本体３０の前後両端部、即ち前側のベースプレート３１の前端部と後側のベースプレート３２の後端部とには、左右一対の主ローラ３５，３５及び３６，３６が取り付けられており、また、後方の主ローラ３６，３６の後方には同じく左右一対の補助ローラ３７，３７が取り付けられている。
【００３０】
さらに、前方の主ローラ３５，３５の後方及び後方の主ローラ３６，３６の前方には、上下方向の軸心回りに回転する横ガイドローラ３８，３８及び３９，３９が取り付けられており、さらに、上記下部連結部材３４の前部及び後部には、該連結部材３４の上開きコ字状断面を取り囲むように同じく上開きコ字状断面とされた合成樹脂製の摺動部材４０，４１がそれぞれネジ４２，４３を用いて取り付けられている（図７参照）。
【００３１】
一方、図５〜図７に示すように、上記ガイドレール４は、断面形状が底面４ａと両側面４ｂ，４ｂとで上開きのコ字状とされ、かつ、両側面４ｂ，４ｂの上端に内向きに折曲されたフランジ面４ｃ，４ｃをそれぞれ設けると共に、さらにこれらのフランジ４ｃ，４ｃの先端に下方への折曲部４ｄ，４ｄを設けた構成とされている。そして、上記スライドユニット１４の本体３０の下部がこのガイドレール４に係合され、上記主ローラ３５，３５，３６，３６が該レール４の底面４ａ上に設置されて、スライドユニット１４ないしシート１０の全体を前後にスライド可能に支持するようになっている（図５参照）。
【００３２】
また、上記横ガイドローラ３８，３８，３９，３９は、ガイドレール４の両側面４ｂ，４ｂの内側に転接して、スライドユニット１４ないしシート１０の横方向の移動を規制し（図６参照）、さらに、摺動部材４０，４１は、上面が上記フランジ面４ｃ，４ｃの下面に近接もしくは摺接してスライドユニット１４ないしシート１０の上下動を規制するようになっている（図７参照）。
【００３３】
さらに、図２〜図４及び図８に示すように、上記本体３０の中央部における両ベースプレート３１，３２の対向端部間には、下端部に下向きの３つの係合突起５１，５２，５３を有し、かつ上部に上方へ延びるガイド用突起５４が設けられた係合部材５０が配置されていると共に、この係合部材５０の下部及び上記ガイド用突起５４が、上記下部連結部材３４及び上部連結部材３３にそれぞれ取り付けられたいずれも合成樹脂製の下部ガイド部材５５及び上部ガイド部材５６に嵌合され、これにより、該係合部材５０が本体３０の中央部で、上下に移動可能に支持されている。
【００３４】
そして、図４に示す係合部材５０の下方の位置では、上記係合突起５１，５２，５３が、ガイドレール４の底面４ａに設けられて係合部６０を構成する３つ１組の係合穴６１，６２，６３にそれぞれ突入することにより、該係合部材５０を介してスライドユニット１４ないしシート１０の前後動が阻止され、その位置でシート１０が固定されるようになっている。
【００３５】
また、スライドユニット１４の本体３０における前側のベースプレート３１には、操作レバー６４の中央部がピン６５を介して揺動可能に取り付けられていると共に、該レバー６４の一端はピン６６を介して上記係合部材５０に連結されている。この操作レバー６４は、その中央部と後側のベースプレート３２に固着されたブラケット６７との間に装着されたスプリング６８によりＸ方向に付勢され、このとき、係合部材５０が上記ピン６６を介して下方に付勢されるようになっている。
【００３６】
そして、該レバー６４の他端は操作部とされ、該操作部に乗員の操作による力が下向きに加えられたときに、該レバー６４が上記スプリング６８の付勢力に抗して反Ｘ方向に揺動することにより係合部材５０が上方に移動され、このとき、該係合部材５０の係合突起５１〜５３がガイドレール４の底面４ａの係合穴６１〜６３から上方に離脱することにより、スライドユニット１４ないしシート１０が前後に移動可能となるようになっている。
【００３７】
ここで、図９及び図１０に示すように、前側のシート１０のスライドユニット１４における係合部材５０Ａと、後側のシート２０のスライドユニット２４における係合部材５０Ｂとは下端部の係合突起５１Ａ〜５３Ａ，５１Ｂ〜５３Ｂの幅が相違しており、ガイドレール４の所定位置に設けられた係合部６０においては、該係合部６０を構成する３つ１組の係合穴６１〜６３に一方のシートの係合部材における係合突起は係合するが、他方のシートの係合部材における係合突起は係合しないようになっている。
【００３８】
つまり、前側のシート１０の係合部材５０Ａにおける３つの係合突起５１Ａ，５２Ａ，５３Ａの幅をＡ１，Ａ２，Ａ３とし、後側の係合部材５０Ｂにおける３つの係合突起５１Ｂ，５２Ｂ，５３Ｂの幅をＢ１，Ｂ２，Ｂ３としたときに、両側の突起５１Ａ，５３Ａ，５１Ｂ，５３Ｂの寸法関係は、Ａ１＝Ａ３＜Ｂ１＝Ｂ３とされ、また、中央の突起５２Ａ，５２Ｂの寸法関係は、Ａ２＞Ｂ２とされている。
【００３９】
そして、両シート１０，２０の所定の固定位置においてガイドレール４に設けられた各係合部６０も、前側のシート１０の係合部材５０Ａにおける係合突起５１Ａ〜５３Ａの幅Ａ１〜Ａ３に対応する幅ａ１〜ａ３を有する係合穴６１Ａ〜６３Ａで構成されて、前側のシート１０の係合部材５０Ａとは係合するが、後側のシート２０の係合部材５０Ｂとは係合しない第１係合部６０Ａと、後側のシート２０の係合部材５０Ｂにおける係合突起５１Ｂ〜５３Ｂの幅Ｂ１〜Ｂ３に対応する幅ｂ１〜ｂ３を有する係合穴６１Ｂ〜６３Ｂで構成されて、後側のシート２０の係合部材５０Ｂとは係合するが、前側のシート１０の係合部材５０Ａとは係合しない第２係合部６０Ｂと、図１１及び図１２に示すように、両係合部材５０Ａ，５０Ｂが共に係合可能なように、係合穴６１Ｃ〜６３Ｃの幅が上記係合部材５０Ａ，５０Ｂにおける各係合突起のうち、幅の広い方の突起Ｂ１，Ａ２，Ｂ３に対応する幅ｂ１，ａ２，ｂ３とされた第３係合部６０Ｃとに区別され、これらが両シート１０，２０の各固定部毎に選択して設けられている。
【００４０】
ここで、ガイドレール４における上記第１〜第３係合部６０Ａ〜６０Ｃの配置を図１３により説明すると、該ガイドレール４の前部に両係合部材５０Ａ，５０Ｂとも係合可能な第３係合部６０Ｃが４箇所設けられていると共に、これらのうちの最後方に位置する第３係合部６０Ｃの直後方に後側のシート２０の係合部材５０Ｂのみが係合可能な第２係合部６０Ｂが設けらている。また、ガイドレール４の後部にも、両係合部材５０Ａ，５０Ｂとも係合可能な第３係合部６０Ｃが４箇所設けられていると共に、これらのうちの最前方に位置する第３係合部６０Ｃの直前方には、前側のシート１０の係合部材５０Ａのみが係合可能な第１係合部６０Ａが設けらている。
【００４１】
そして、ガイドレール４の前部における４箇所の第３係合部６０Ｃのいずれかに前側のシート１０の係合部材５０Ａが係合されている状態では、該シート１０に対して図１に示す前側のシートベルト５が適用可能となり、また、ガイドレール４の後部における最後部の係合部を除く３箇所の第３係合部６０Ｃのいずれかに後側のシート２０の係合部材５０Ｂが係合されている状態、及びその直前方の第１係合部６０Ａに前側のシート１０の係合部材５０Ａが係合されている状態では、該シート２０または１０に対して、図１に示す後側のシートベルト５が適用可能となるように、各係合部６０Ａ〜６０Ｃとシートベルト５，５の位置関係が設定されている。
【００４２】
なお、ガイドレール４の前部における４箇所の第３係合部６０Ｃには、前側のシート１０との関係で、実質上、後側のシート２０の係合部材５０Ｂを係合させることできず、同様に、ガイドレール４の後部における４箇所の第３係合部６０Ｃには、後側のシート２０との関係で、実質上、前側のシート１０の係合部材５０Ａを係合させることはできない。
【００４３】
次に、本実施例の作用を説明する。
【００４４】
まず、図１３に示すように、ガイドレール４の前部における４箇所の第３係合部６０Ｃのいずれかに前側のシート１０における係合部材５０Ａを係合させれば、その位置で該シート１０が固定されると共に、図１に示す前側のシートベルト５の適用が可能となる。したがって、上記４箇所の第３係合部６０Ｃのいずれかを適当に選択することにより、前側のシート１０を乗員の体格等に応じた位置に固定し、かつ、該シート１０に着座した乗員がシートベルト５を装着することが可能となる。
【００４５】
また、ガイドレール４の後部における最後部の係合部を除く３箇所の第３係合部６０Ｃのいずれかに後側のシート２０における係合部材５０Ｂを係合させれば、その位置で該後側のシート２０が固定されると共に、図１に示す後側のシートベルト５の適用が可能となる。したがって、前側のシート１０の場合と同様に、上記３箇所の第３係合部６０Ｃのいずれかを適当に選択することにより、後側のシート２０を乗員の体格等に応じた位置に固定し、かつ、該シート２０に着座した乗員がシートベルト５を装着することが可能となる。
【００４６】
次に、図１４に示すように、前側のシート１０を前方にスライドさせて、係合部材５０Ａをガイドレール４の最前部に位置する第３係合部６０Ｃに係合させると共に、後側のシート２０も前方にスライドさせて前側のシート１０の直後方に位置させれば、この後側のシート２０の係合部材５０Ｂに対応する位置には第２係合部材６０Ｂが設けられているので、該係合部材５０Ｂをこの第２係合部６０Ｂに係合させることが可能となる。これにより、前側及び後側のシート１０，２０がガイドレール４の最前部に収納状態として固定されることになり、車室後部に大きな積み荷用空間が形成されることになる。
【００４７】
同様に、図１５に示すように、後側のシート２０を後方にスライドさせて、係合部材５０Ｂをガイドレール４の最後部に位置する第３係合部６０Ｃに係合させると共に、前側のシート１０も後方にスライドさせて後側のシート２０の直前方に位置させれば、この前側のシート１０の係合部材５０Ａに対応する位置には第１係合部材６０Ａが設けられているので、該係合部材５０Ａをこの第１係合部６０Ａに係合させることが可能となる。これにより、前側及び後側のシート１０，２０がガイドレール４の最後部に収納状態として固定されることになり、これらのシート１０，２０の前方に大きな積み荷用空間が形成されることになる。
【００４８】
なお、この図１５に示すガイドレール４の後部への収納状態では、前側のシート１０の固定位置で該シート１０への後側のシートベルト５の適用が可能となるので、該シート１０のシートバック１３を起立させれば、リムジン状態、即ち前方に広いスペースを確保した状態での着座が可能となる。
【００４９】
一方、図１６に示すように、後側のシート２０がガイドレール４の後部に固定されている状態では、前側のシート１０を前後のシートベルト５，５がいずれも適用できないガイドレール４の中央部に位置させることが可能となり、この状態で、該前側のシート１０が固定されると、シートベルト５の装着が不可能な状態で乗員が着座する可能性が生じる。
【００５０】
しかし、図１６に示す前側のシート１０の位置で該シート１０の係合部材５０Ａに対応する位置に設けられているガイドレール４の係合部は、後側のシート２０の係合部材５０Ｂのみが係合可能な第２係合部６０Ｂとされており、したがって、この位置で前側のシート１０が固定されて、シートベルト５を着用できない状態で乗員が着座するといった不具合が未然に回避されることになる。
【００５１】
また、図１７に示すように、前側のシート１０がガイドレール４の前部に固定されている状態では、後側のシート２０をガイドレール４の中央部に位置させることが可能となり、この位置で該後側のシート２０が固定されると、前側のシート１０の固定位置によっては、該前側シート１０と後側シート２０との間隔が著しく狭くなる。そのため、特に前側のシート１０に着座した乗員がシート位置調節のために固定位置を後側へ移動させようとした場合等に、後側のシート２０に着座している乗員の足を挟み付ける恐れが生じる。
【００５２】
しかし、図１７に示す後側のシート２０の位置で該シート２０の係合部材５０Ｂに対応する位置に設けられているガイドレール４の係合部は、前側のシート１０の係合部材５０Ａのみが係合可能な第１係合部６０Ａとされており、したがって、この位置で後側のシート２０が固定されて、前側のシート１０と所定間隔以下となることによる上記のような不具合が未然に回避されることになる。
【００５３】
【発明の効果】
まず、第１発明によれば、第３の係合部は、前側のシートの係合部材のみが係合可能とされており、したがって、この位置で後側のシートが固定されて、前側のシートと所定間隔以下となることによる上記のような不具合が未然に回避されることになる。すなわち、前側のシートがガイドレールの前部に固定されている状態では、後側のシートをガイドレールの中央部に位置させることが可能となり、この位置で該後側のシートが固定されると、前側のシートの固定位置によっては、該前側シートと後側シートとの間隔が著しく狭くなる。そのため、特に前側のシートに着座した乗員がシート位置調節のために固定位置を後側へ移動させようとした場合等に、後側のシートに着座している乗員の足を挟み付ける恐れが生じるが、本第１発明によれば、第３の係合部は、前側のシートの係合部材のみが係合可能とされており、上記のような不具合が未然に回避されることになる。
【００５７】
一方、第２発明によれば、ガイドレールに、第１のシートの係合部材とは係合し、第２のシートの係合部材とは係合しない第１の係合部と、上記第１のシートの係合部材とは係合せず、第２のシートの係合部材とは係合する第２の係合部とを設けたので、例えば第２のシートのシートベルトの適用範囲外における第１のシートの収納位置で第２のシートが固定されたり、第１のシートが第２のシートの前方で固定される場合に、この第１のシートと所定間隔以下に近接する位置で後側の第２のシートが固定される、といった不具合が回避されることになる。
【００５８】
そして、第３発明によれば、上記のようにガイドレールの所定位置で一方のシートを固定し、他方のシートの固定を阻止するためのシート側の係合部材及びガイドレール側の係合部をそれぞれ所定の幅を有する複数の突起と穴とで構成したので、極めて簡素な構成で、しかも確実に上記第２発明の効果が得られることになる。
【図面の簡単な説明】
【図１】  本発明の実施例に係る自動車のシートの配置を示す概略側面図である。
【図２】  同実施例におけるシートのスライドユニットの側面図である。
【図３】  同スライドユニットの平面図である。
【図４】  同スライドユニットの要部拡大縦断正面図である。
【図５】  図２のａ−ａ線による要部拡大断面図である。
【図６】  図２のｂ−ｂ線による要部拡大断面図である。
【図７】  図２のｃ−ｃ線による要部拡大断面図である。
【図８】  図２のｄ−ｄ線による要部拡大断面図である。
【図９】  前側のシートの係合部材と第１、第２係合部との寸法関係を示す図である。
【図１０】後側のシートの係合部材と第１、第２係合部との寸法関係を示す図である。
【図１１】前側のシートの係合部材と第３係合部との寸法関係を示す図である。
【図１２】後側のシートの係合部材と第３係合部との寸法関係を示す図である。
【図１３】両シートの着座位置を示す概略側面図である。
【図１４】両シートのガイドレール前部での収納位置を示す概略側面図である。
【図１５】両シートのガイドレール後部での収納位置を示す概略側面図である。
【図１６】前側のシートの固定が阻止される位置を示す概略側面図である。
【図１７】後側のシートの固定が阻止される位置を示す概略側面図である。
【符号の説明】
４                      ガイドレール
１０，２０              シート
５０（５０Ａ，５０Ｂ）  係合部材
５１〜５３              突起
６０（６０Ａ，６０Ｂ）  係合部
６１〜６３              穴
【図１】
0003635698.tif 000002
【図２】
0003635698.tif 000003
【図３】
0003635698.tif 000004
【図４】
0003635698.tif 000005
【図５】
0003635698.tif 000006
【図６】
0003635698.tif 000007
【図７】
0003635698.tif 000008
【図８】
0003635698.tif 000009
【図９】
0003635698.tif 000010
【図１０】
0003635698.tif 000011
【図１１】
0003635698.tif 000012
【図１２】
0003635698.tif 000013
【図１３】
0003635698.tif 000014
【図１４】
0003635698.tif 000015
【図１５】
0003635698.tif 000016
【図１６】
0003635698.tif 000017
【図１７】
0003635698.tif 000018